(57)【要約】【課題】  液化ガスを供給するシステムにおいて、液化ガスの供給を受ける供給設備側にかかる費用、手間等の負担を軽減する。【解決手段】液化ガスを収容して移動可能なバルクローリ２と、バルクローリ２と接続し液化ガスの供給を受ける供給設備３とを含んで構成される液化ガス供給システム１であって、バルクローリ２が、液化ガスを気化させる気化器１０、気化器１０により気化された物質を一時的に貯蔵するアキュムレータ１１を具備することが好ましい。【選択図】        図１
2008095763.tif 000002
【特許請求の範囲】
【請求項１】
液化ガスを収容するバルク容器を備え移動可能なバルクローリと、該バルクローリと接続し前記液化ガスの供給を受ける供給設備とを含んで構成される液化ガス供給システムであって、
前記バルクローリが、前記液化ガスを気化させる気化器を具備することを特徴とする液化ガス供給システム。
【請求項２】
前記バルクローリが、前記気化器により気化された物質を一時的に貯蔵するアキュムレータを更に具備することを特徴とする請求項１記載の液化ガス供給システム。
【請求項３】
液化ガスを供給設備に供給する液化ガス供給システムにおいて用いられ、前記液化ガスを収容して移動可能なバルクローリであって、
前記液化ガスを収容するバルク容器と、前記バルク容器に収容された前記液化ガスを気化させる気化器とを具備することを特徴とするバルクローリ。
【請求項４】
前記気化器により気化された物質を一時的に貯蔵するアキュムレータを更に具備することを特徴とする請求項３記載のバルクローリ。
【請求項５】
内部空間を密閉状態に保つ密閉手段を更に具備し、該密閉手段の内部空間に、前記気化器及び前記アキュムレータが設置されていることを特徴とする請求項４記載のバルクローリ。
【請求項６】
前記気化器又は前記アキュムレータの内部圧力の異常上昇を防止するガス除害装置を更に具備することを特徴とする請求項４又は５記載のバルクローリ。
【発明の詳細な説明】
【技術分野】
【０００１】
本発明は、ＬＮＧ等の液化ガスを搬送して供給するための技術に関し、特に液化ガスを収容して移動可能なバルクローリを利用するものに関する。
【背景技術】
【０００２】
液化ガスを搬送し、供給するシステムとして、出荷基地に備えたＬＮＧタンクに貯蔵されたＬＮＧをトレーラー型のバルク容器に移す手段と、バルク容器を、複数の需要家、生産設備にガスを供給するサテライト基地に搬送する搬送手段と、バルク容器をサテライト基地に設置する一時設置手段と、サテライト基地に一時設置されたバルク容器からＬＮＧを取り出す手段とを備えるものがある（特許文献１参照）。これにより、サテライト基地内にＬＮＧタンクを建設する必要がなくなるため、建設費、運用費等を軽減することができ、またバルク容器からのＬＮＧの移し替えに要する時間を短縮することができる。
【０００３】
【特許文献１】特開２００５−４８７８９号公報
【発明の開示】
【発明が解決しようとする課題】
【０００４】
上記のように、供給する物質として液化ガスを扱う場合には、この物質を液状体から気化させる気化器、及び気化された物質を一時的に貯蔵し所定の圧力を保って外部に供給できるようにするアキュムレータが、システム内に存在しなければならない。この点について、上記特許文献１を含む従来のシステムにおいては、上記気化器及びアキュムレータが、サテライト基地（以下、本明細書においては供給設備と称する）に設置されているため、供給設備側にとって、これらの設備の建設、メンテナンス等に要する費用、手間等が大きな負担となっていた。
【０００５】
そこで、本発明は、液化ガスを供給するシステムにおいて、液化ガスの供給を受ける供給設備側にかかる費用、手間等の負担を軽減することを課題とするものである。
【課題を解決するための手段】
【０００６】
上記課題を解決するために、本発明は、液化ガスを収容するバルク容器を備え移動可能なバルクローリと、該バルクローリと接続し前記液化ガスの供給を受ける供給設備とを含んで構成される液化ガス供給システムであって、前記バルクローリが、前記液化ガスを気化させる気化器を具備することを特徴とするものである（請求項１）。
【０００７】
このように、バルクローリ側に、液化ガスを気化させる気化器を具備することにより、供給設備側にかかる費用等の負担を軽減することができる。
【０００８】
また、上記請求項１記載の構成において、前記バルクローリは、前記気化器により気化された物質を一時的に貯蔵するアキュムレータを更に具備することが好ましい（請求項２）。
【０００９】
アキュムレータも従来は供給設備側に設置されていたものであるが、本構成のように、気化器に加えてアキュムレータもバルクローリ側に具備することにより、供給設備側にかかる費用等の負担を更に軽減させることができる。
【００１０】
また、本発明は、液化ガスを供給設備に供給する液化ガス供給システムにおいて用いられ、前記液化ガスを収容して移動可能なバルクローリであって、前記液化ガスを収容するバルク容器と、前記バルク容器に収容される前記液化ガスを気化させる気化器とを具備するものである（請求項３）。
【００１１】
これにより、供給設備側に気化器を設置する必要がなくなるため、供給設備側の費用等の負担を軽減させることができる。
【００１２】
また、上記請求項３記載のバルクローリにおいて、更に前記気化器により気化された物質を一時的に貯蔵するアキュムレータを具備することが好ましい（請求項４）。
【００１３】
これにより、供給設備側に、気化器に加えてアキュムレータも設置する必要がなくなるため、供給設備側にかかる費用等の負担を更に軽減させることができる。
【００１４】
また、上記請求項４記載のバルクローリにおいて、更に内部空間を密閉状態に保つ密閉手段を具備し、該密閉手段の内部空間に、前記気化器及び前記アキュムレータが設置されていることが好ましい（請求項５）。
【００１５】
これにより、気化器又はアキュムレータからガス漏れが生じた場合でも、外部にまでガスが放出されることを防止することができる。
【００１６】
また、上記請求項４又は５記載のバルクローリにおいて、更に前記気化器又は前記アキュムレータの内部圧力の異常上昇を防止するガス除害装置を具備することが好ましい（請求項６）。
【００１７】
これにより、気化器又はアキュムレータの破損、ガス漏れ等の事故を防止することができる。また、このようなガス除害装置をバルクローリ側に設けることにより、供給設備側の費用等の負担を更に軽減させることができる。
【発明を実施するための最良の形態】
【００１８】
以下、本発明の実施例を、添付した図面を参照して説明する。図１において、液化ガス供給システム１が示されている。この液化ガス供給システム１は、バルクローリ２及び供給設備３を含んで構成される。
【００１９】
バルクローリ２は、所定の液化ガスを収容して移動するためのものである。供給設備３は、バルクローリ２により搬送されたガスの供給を受ける設備であり、貯蔵タンク、各種処理装置等を有するものである。この供給設備３に受け入れられたガスは、更に所定の外部設備へと供給される。
【００２０】
以下、図１及び図２において、バルクローリ２の構成について説明する。バルクローリ２は、バルク容器５、車両部８、台車部９、気化器１０、アキュムレータ１１、ガス除害装置１２、ヒートポンプ１３を有して構成されている。バルク容器５は、車両部８に着脱自在に連結される台車部９に設置され、液化ガスを収納するためのタンクである。この液化ガスとしては、ＬＮＧ、ＬＰＧ、窒素、アンモニア、水素、酸素、アルゴン、二酸化炭素、ヘリウム、亜酸化窒素等が挙げられる。また、台車部９には、内部空間を密閉状態にすることができる密閉容器１５が載置されており、この密閉容器１５の内部空間に、気化器１０及びアキュムレータ１１が配置され、密閉容器１５の外部に、ガス除害装置１２及びヒートポンプ１３が配置されている。
【００２１】
気化器１０は、バルク容器５内の液化ガスを流入させ、これに熱を加えることにより気化させる装置であり、本実施例においては、炭酸ガス等を熱交換媒体とし、圧縮機、放熱器、膨張弁、蒸発器等を有して構成される公知のヒートポンプ１３により発生される熱を熱源として利用する。尚、この熱源については、上記ヒートポンプ１３に限られることはなく、例えば供給設備３側で発生する蒸気や、電気温水器により生成される温水等を利用することができる。
【００２２】
アキュムレータ１１は、気化器１０により気化されたガスを貯蔵すると共に、このガスを一定の圧力で送出させるための装置である。
【００２３】
ガス除害装置１２は、気化器１０及びアキュムレータ１１の内部圧力の異常上昇を防止するための装置であり、気化器１０及びアキュムレータ１１のそれぞれと気化器側圧力調整弁２８及びアキュムレータ側圧力調整弁３１を介して連結されている。このガス除害装置１２におけるガスの除害方法は、吸収液によるガス吸着方式、フレアースタックによる燃焼方式等が好適である。
【００２４】
バルク容器５と気化器１０とは、タンク出口弁２０と気化器入口弁２１とが設置された配管２２により連通する。気化器１０とアキュムレータ１１とは、気化器出口弁２４とアキュムレータ入口弁２５とが設置された配管２６により連通する。気化器１０とガス除害装置１２とは、気化器側圧力調整弁２８が設置された配管２９により連通する。アキュムレータ１１とガス除害装置１２とは、アキュムレータ側圧力調整弁３１が設置された配管３２により連通する。気化器１０とヒートポンプ１３とは、配管３４により連通する。アキュムレータ１１には、アキュムレータ出口弁３６と供給弁３７とが設置された配管３８の一端側が接続され、この配管３８の他端側には、供給設備３の貯蔵タンク等と連結可能なコネクタ３９が設置されている。
【００２５】
図３は、上記構成の液化ガス供給システム１において、バルク容器５から供給設備３へのガスの供給時の状態を示すものである。この時、タンク出口弁２０及び気化器入口弁２１を開放し、ヒートポンプ１３を起動させ、気化器出口弁２４、アキュムレータ入口弁２５、アキュムレータ出口弁３６、及び供給弁３７を開放する。これにより、同図中実線の矢印で示すように、バルク容器５内の液化ガスは、気化器１０内に流入して気化された後、アキュムレータ１１に貯蔵され、このアキュムレータ１１から所定の圧力を保って供給設備３へ供給される。またこの時、気化器１０又はアキュムレータ１１において、異常な圧力上昇が生じた場合には、同図中破線の矢印で示すように、気化器１０又はアキュムレータ１１内のガスは、気化器側圧力調整弁２８又はアキュムレータ側圧力調整弁３１が開放することによりガス除害装置１２に送出される。尚、同図中一点鎖線の矢印で示すのは、ヒートポンプ１３と気化器１０との間での熱交換媒体の流れである。
【００２６】
図４は、上記構成の液化ガス供給システム１において、ガスの供給停止時の状態を示すものである。この時、タンク出口弁２０、気化器入口弁２１、気化器出口弁２４、アキュムレータ入口弁２５を閉止し、ヒートポンプ１３を停止させ、アキュムレータ出口弁３６及び供給弁３７を閉止し、気化器側圧力調整弁２８及びアキュムレータ側圧力調整弁３１を開放する。これにより、同図中破線で示すように、バルク容器５、気化器１０、アキュムレータ１１、及び供給設備３を連通させる配管２２，２６，３８でのガスの流通が停止されると共に、ヒートポンプ１３と気化器１０との間での熱交換媒体の流通が停止される。また、同図中実線の矢印で示すように、気化器１０及びアキュムレータ１１内のガスが、ガス除害装置１２へ送出される。これにより、気化器１０及びアキュムレータ１１内の残留ガスを安全且つ確実に除去することができる。
【００２７】
以上のような液化ガス供給システム１、及びこれに用いられるバルクローリ２を用いれば、バルクローリ２側に気化器１０及びアキュムレータ１１が備えられていることにより、供給設備３側にかかる費用等の負担を大幅に軽減させることができる。更に、これら気化器１０及びアキュムレータ１１が密閉容器１５内に設置されていることにより、気化器１０又はアキュムレータ１１からガス漏れが生じた場合でも、外部にまでガスが放出されることを防止できる。更にまた、バルクローリ２にガス除害装置１２が備えられていることにより、気化器１０又はアキュムレータ１１の破損、ガス漏れ等の事故を防止することができと共に、供給設備３側の費用等の負担を更に軽減させることができる。
【図面の簡単な説明】
【００２８】
【図１】本発明の液化ガス供給システムの構成を示す図である。
【図２】バルクローリと供給設備とが接続した状態を示す図である。
【図３】図２においてガスの供給時の状態を示す図である。
【図４】図２においてガスの供給停止時の状態を示す図である。
【符号の説明】
【００２９】
１  液化ガス供給システム
２  バルクローリ
３  供給設備
５  バルク容器
１０  気化器
１１  アキュムレータ
１２  ガス除害装置
１３  ヒートポンプ
１５  密閉容器
２８  気化器側圧力調整弁
３１  アキュムレータ側圧力調整弁
【図１】
2008095763.tif 000003
【図２】
2008095763.tif 000004
【図３】
2008095763.tif 000005
【図４】
2008095763.tif 000006